(57)【特許請求の範囲】
【請求項１】
本体ケースの内部にイオン交換樹脂内蔵カートリッジを複数個並設した家庭用軟水器であって、前記イオン交換樹脂内蔵カートリッジの横断面形状が長形に形成されるとともに、その胴面には、前記横断面形状の長形の中心線に対して非対称に位置をずらして前記本体ケース側のフレームに固着するためのつば部が複数個形成されたことを特徴とするの家庭用軟水器。
【発明の詳細な説明】
【０００１】
【産業上の利用分野】
本発明は、イオン交換樹脂により原水を軟水化する家庭用軟水器に関するものである。
【０００２】
【従来の技術】
近年、イオン交換樹脂により原水を軟水化する軟水器が家庭に広く普及してきている。以下に、従来の家庭用軟水器について説明する。
【０００３】
図５は従来の家庭用軟水器の構造図、図６は同横断面図である。図５において、給水側から送られてきた原水は浄水用カートリッジ１を通り、水路切換弁２に入り、２個のイオン交換樹脂内蔵カートリッジ３に分配される。一方のイオン交換樹脂内蔵カートリッジ３を通った水は、再び水路切換弁２に入り吐水パイプ４から吐水され、もう一方のイオン交換樹脂内臓カートリッジ３を通った水も再び水路切換弁２に入り排水される。この時、一方のイオン交換樹脂内蔵カートリッジ３は硬水を軟水に換える働きをし、もう一方のイオン交換樹脂内蔵カートリッジ３ではイオン交換樹脂の再生が行われる。
【０００４】
図６は浄水用カートリッジ１、２個のイオン交換樹脂内蔵カートリッジ３、基板ボックス５の配置を示すものであって、図示するようにイオン交換樹脂カートリッジ３の横断面形状はそれぞれ耐水圧の強度確保のため円筒形をしている。７ａはイオン交換樹脂内蔵カートリッジ３の本体とフタをネジで結合するためのボス、７ｂは同フランジ、８はイオン交換樹脂内蔵カートリッジ３を本体ケース６の内部に配設されたフレーム９に固着するためのフランジである。上記した各部品は、本体ケース６の内部に収納されている。
【０００５】
【発明が解決しようとする課題】
しかしながら、従来の構成では円筒形のイオン交換樹脂内蔵カートリッジ３を２個並列に配置しているため、全体の横寸法Ｗ１が大きくなり、スペースの狭い台所などには設置しにくいという問題点があった。
【０００６】
そこで本発明は、台所の狭いスペースであってもコンパクトに設置できる家庭用軟水器を提供することを目的とする。
【０００７】
【課題を解決するための手段】
このために本発明は、イオン交換樹脂内蔵カートリッジの横断面形状が長形に形成されるとともに、その胴面には、横断面形状の長形の中心線に対して非対称に位置をずらして本体ケース側のフレームに固着するためのつば部が複数個形成されたものである。
【０００８】
【作用】
上記構成により、イオン交換樹脂内蔵カートリッジの横方向の寸法が小さくなり、縦方向の大きさは構造上問題のない範囲まで大きくすることにより、製品完成時の全体の横寸法を小さくして、台所の狭いスペースでも設置することが可能となる。
【０００９】
【実施例】
次に、図面を参照しながら本発明の一実施例を説明する。図１は本発明の一実施例における家庭用軟水器の構造図、図２は同横断面図、図３は同イオン交換樹脂内蔵カートリッジの分解斜視図、図４は同組立斜視図である。図１において、給水側から送られてきた原水は浄水用カートリッジ１を通り、水路切換弁２に入り、２個のイオン交換樹脂内蔵カートリッジ１０に分配される。一方のイオン交換樹脂内蔵カートリッジ１０を通った水は、再び水路切換弁２に入り吐水パイプ４から吐水され、もう一方のイオン交換樹脂内蔵カートリッジ１０を通った水も再び水路切換弁２に入り排水される。この時、一方のイオン交換樹脂内蔵カートリッジ１０は硬水を軟水に換える働きをし、もう一方のイオン交換樹脂内蔵カートリッジ１０ではイオン交換樹脂の再生が行われる。上記各部品は、本体ケース６の内部に収納されている。
【００１０】
図２は浄水用カートリッジ１、２個のイオン交換樹脂内蔵カートリッジ１０、基板ボックス５の配置を示すものであって、図示するようにイオン交換樹脂内蔵カートリッジ１０の横断面形状はタテ長の長円形もしくは楕円形であり、したがってこれを２個並設しても、全体の横寸法Ｗ２を図６に示す従来の横寸法Ｗ１よりもかなり小さくできる。したがって全体的にコンパクト化でき、狭いスペースの台所などに設置される家庭用軟水器としてきわめて有利である。
【００１１】
図３および図４において、イオン交換樹脂内蔵カートリッジ１０は、本体１１と、本体１１の下部に着脱自在に装着されるつば部１２から成っている。本体１１の下部胴面にはボス１３が４個形成されており、またつば部１２の長辺側の両側面にはこのボス１３に対応するつば部１４が４個形成されている。したがってつば部１２は、つば部１４とボス１３にビス１５を螺入することにより、本体１１に装着される。
【００１２】
またつば部１２の対角線上の角部には本体ケース６側に固着するためのフランジ１６が形成されている。図１において、１７は本体ケース６の内部の下部に水平に配設されたプレート状のフレームであり、つば部１２はフランジ１６にビス１８を螺入することにより、本体ケース６の内部に固着される。
【００１３】
図２に示すように、つば部１４やフランジ１６は、中心線ＮＡに対して左右非対称に突設されている。したがって図示するように、左右の２つのイオン交換樹脂内蔵カートリッジ１０を互いに左右反転させてそれぞれのつば部１４が互い違いになるように配置することにより、つば部１４が横方向のスペースをとらないようにし、２つのイオン交換樹脂内蔵カートリッジ１０が占有する占有幅Ｄを極力小さくしてコンパクト化することができる。
【００１４】
またフランジ１６からビス１８を取り除くことにより、本体１１とつば部１２を一体的に本体ケース６から取りはずしてその保守点検やイオン交換樹脂内蔵カートリッジ１０の交換などを行うことができる。
【００１５】
【発明の効果】
以上説明したように本発明は、イオン交換樹脂内蔵カートリッジの横断面形状を長形としたことにより、家庭用軟水器の全体の横寸法が小さくなり、縦方向の大きさは構造上問題のない範囲まで大きくすることにより、製品完成時の全体の横寸法を小さくして、狭いスペースの台所などにも手軽に設置できる。
【００１６】
またイオン交換樹脂内蔵カートリッジの胴面に、その中心線に対して位置をずらして本体ケース側に固着するためのつば部を形成することにより、つば部が横方向のスペースをとらないようにして、複数のイオン交換樹脂内蔵カートリッジを並設した場合の占有幅を極力小さくし、より一層コンパクト化することができ、また複数のイオン交換樹脂内蔵カートリッジを互いに左右反転させて本体ケースに配置することにより、これらのイオン交換樹脂内蔵カートリッジを同一金型で成形でき、コストダウンを図れる。
【図面の簡単な説明】
【図１】本発明の一実施例における家庭用軟水器の構造図
【図２】本発明の一実施例における家庭用軟水器の横断面図
【図３】本発明の一実施例における家庭用軟水器のイオン交換樹脂内蔵カートリッジの分解斜視図
【図４】本発明の一実施例における家庭用軟水器のイオン交換樹脂内蔵カートリッジの組立斜視図
【図５】従来の家庭用軟水器の構造図
【図６】従来の家庭用軟水器の横断面図
【符号の説明】
６  本体ケース
１０  イオン交換樹脂内蔵カートリッジ
１２  つば部
【図１】
0003666024.tif 000002
【図２】
0003666024.tif 000003
【図３】
0003666024.tif 000004
【図４】
0003666024.tif 000005
【図５】
0003666024.tif 000006
【図６】
0003666024.tif 000007